(57)【要約】【課題】短時間で容易に、かつ安全で効率的にエアフィルタ本体の交換作業を行う。【解決手段】筐体内に配設されてエアフィルタ本体２４を支持する第１支持部２２および第２支持部２３を備え、第１支持部２２は、筐体に配設された第１ロッド３１と係合する第１係合部４１がガイド板２２ｄの前方側に配設されると共に、筐体に配設された第２ロッドと係合する第２係合部がガイド板２２ｄの後方側に配設されて、前方側が第２支持部２３に対して接離するように回動可能に各ロッド３１，３２によって支持されている。【選択図】図５
2011099576.tif 000002
【特許請求の範囲】
【請求項１】
空気浄化機能を有するエアフィルタ本体を収容すると共に当該エアフィルタ本体を前方側から着脱可能に構成された筐体と、当該筐体内に配設されて前記エアフィルタ本体の上部に当接する前記第１支持部と、前記筐体内に配設されて前記エアフィルタ本体の下部に当接して前記第１支持部と共に当該エアフィルタ本体を支持する第２支持部とを備え、
前記第１支持部は、前記筐体の側面における前方側に配設された第１ロッドを挿通させて当該第１ロッドと係合する第１係合部が側部の前方側に配設されると共に、前記筐体の前記側面における後方側に配設された第２ロッドを挿通させて当該第２ロッドと係合する第２係合部が前記側部の後方側に配設されて、前方側が前記第２支持部に対して接離するように後方側を中心として回動可能に前記各ロッドによって支持され、
前記第１係合部は、上下方向への前記第１支持部の移動を案内する第１スリットと、当該第１スリットに連続するように形成されて上方側に移動した当該第１支持部の前後方向への移動を案内すると共に前後方向に移動した当該第１支持部の上下方向への移動を規制する第２スリットとを備えて構成され、
前記第２係合部は、前記第１支持部の回動を許容すると共に当該第１支持部の前後方向への移動を案内する第３スリットを備えて構成されているエアフィルタ装置。
【請求項２】
空気浄化機能を有するエアフィルタ本体を収容すると共に当該エアフィルタ本体を前方側から着脱可能に構成された筐体と、当該筐体内に配設されて前記エアフィルタ本体の上部に当接する前記第１支持部と、前記筐体内に配設されて前記エアフィルタ本体の下部に当接して前記第１支持部と共に当該エアフィルタ本体を支持する第２支持部とを備え、
前記第２支持部は、前記筐体の側面における前方側に配設された第３ロッドを挿通させて当該第３ロッドと係合する第３係合部が側部の前方側に配設されると共に、前記筐体の前記側面における後方側に配設された第４ロッドを挿通させて当該第４ロッドと係合する第４係合部が前記側部の後方側に配設されて、前方側が前記第１支持部に対して接離するように後方側を中心として回動しかつ前方下がりの傾斜状態で移動可能に前記各ロッドによって支持され、
前記第３係合部は、前後方向への前記第２支持部の移動を案内すると共に後方側に位置している当該第２支持部の上下方向への移動を規制する第４スリットと、当該第４スリットに連続するように形成されて前方側に移動した当該第２支持部の上下方向への移動を案内する第５スリットと、当該第５スリットに連続するように形成されて下方側に移動した当該第２支持部の前記前方下がりの傾斜状態での移動を案内する第６スリットとを備えて構成され、
前記第４係合部は、前後方向への前記第２支持部の移動を案内すると共に後方側に位置している当該第２支持部の上下方向への移動を規制する第７スリットと、当該第７スリットに連続するように形成されて前方側に移動した当該第２支持部の回動を許容すると共に当該第２支持部の前記前方下がりの傾斜状態での移動を案内する第８スリットとを備えて構成されているエアフィルタ装置。
【請求項３】
空気浄化機能を有するエアフィルタ本体を収容すると共に当該エアフィルタ本体を前方側から着脱可能に構成された筐体と、当該筐体内に配設されて前記エアフィルタ本体の上部に当接する前記第１支持部と、前記筐体内に配設されて前記エアフィルタ本体の下部に当接して前記第１支持部と共に当該エアフィルタ本体を支持する第２支持部とを備え、
前記第１支持部は、前方側が前記第２支持部に対して接離するように後方側を中心として回動可能に支持され、
前記第２支持部は、前方側が前記第１支持部に対して接離するように後方側を中心として回動しかつ前方下がりの傾斜状態で移動可能に支持されているエアフィルタ装置。
【請求項４】
前記第１支持部は、前記筐体の側面における前方側に配設された第１ロッドを挿通させて当該第１ロッドと係合する第１係合部が側部の前方側に配設されると共に、前記筐体の前記側面における後方側に配設された第２ロッドを挿通させて当該第２ロッドと係合する第２係合部が前記側部の後方側に配設されて、前記第１ロッドおよび前記第２ロッドによって支持され、
前記第１係合部は、上下方向への前記第１支持部の移動を案内する第１スリットと、当該第１スリットに連続するように形成されて上方側に移動した当該第１支持部の前後方向への移動を案内すると共に前後方向に移動した当該第１支持部の上下方向への移動を規制する第２スリットとを備えて構成され、
前記第２係合部は、前記第１支持部の回動を許容すると共に当該第１支持部の前後方向への移動を案内する第３スリットを備えて構成され、
前記第２支持部は、前記筐体の側面における前方側に配設された第３ロッドを挿通させて当該第３ロッドと係合する第３係合部が側部の前方側に配設されると共に、前記筐体の前記側面における後方側に配設された第４ロッドを挿通させて当該第４ロッドと係合する第４係合部が前記側部の後方側に配設されて、前記第３ロッドおよび前記第４ロッドによって支持され、
前記第３係合部は、前後方向への前記第２支持部の移動を案内すると共に後方側に位置している当該第２支持部の上下方向への移動を規制する第４スリットと、当該第４スリットに連続するように形成されて前方側に移動した当該第２支持部の上下方向への移動を案内する第５スリットと、当該第５スリットに連続するように形成されて下方側に移動した当該第２支持部の前記前方下がりの傾斜状態での移動を案内する第６スリットとを備えて構成され、
前記第４係合部は、前後方向への前記第２支持部の移動を案内すると共に後方側に位置している当該第２支持部の上下方向への移動を規制する第７スリットと、当該第７スリットに連続するように形成されて前方側に移動した当該第２支持部の回動を許容すると共に当該第２支持部の前記前方下がりの傾斜状態での移動を案内する第８スリットとを備えて構成されている請求項３記載のエアフィルタ装置。
【請求項５】
前記エアフィルタ本体によって浄化された空気を排出する排出口が前記第１支持部に形成されると共に、当該浄化された空気を外部に供給する供給口が前記筐体に形成され、
前記排出口および前記供給口は、伸縮可能に構成された接続ダクトによって接続されている請求項１から４のいずれかに記載のエアフィルタ装置。
【請求項６】
請求項１から５のいずれかに記載のエアフィルタ装置と、当該エアフィルタ装置が取り付けられる送風装置本体とを備え、
前記エアフィルタ装置は、前記送風装置本体から送風される空気を浄化する送風装置。
【発明の詳細な説明】
【技術分野】
【０００１】
本発明は、空気浄化機能を有するエアフィルタ本体を収容すると共にエアフィルタ本体を着脱可能に構成されたエアフィルタ装置、およびそのエアフィルタ装置を備えた送風装置に関するものである。
【背景技術】
【０００２】
この種のエアフィルタ装置として、特許第３８９７６４７号公報に開示されたファンフィルタユニットが知られている。このファンフィルタユニットは、内部が中空な箱状のケーシングと、ケーシングの上部に固定されて空気を吸入するファンと、ケーシングの下部に着脱可能に配置されてファンによって吸入された空気を浄化処理するフィルタを備えて構成されている。また、このファンフィルタユニットは、ケーシング（およびファン）の上下方向の動きをガイドする４本のボルトと、各ボルトにそれぞれ装着されてケーシングを上方に押圧するばねと、各ボルトにそれぞれ螺合する４つのナットとを備えて構成されており、各ナットを締め付けることによってばねの押圧力に抗してケーシングを押し下げてフィルタを設置面に固定し、各ナットを緩めることによってばねの押圧力でケーシングを上昇させることが可能となっている。このため、このファンフィルタユニットでは、ナットを緩めてケーシングを上昇させることによってフィルタの固定が解除されるため、この状態において、フィルタを交換することが可能となっている。
【先行技術文献】
【特許文献】
【０００３】
【特許文献１】特許第３８９７６４７号公報（第３−４頁、第１−２図）
【発明の概要】
【発明が解決しようとする課題】
【０００４】
ところが、従来のファンフィルタユニットには、以下の問題点が存在する。すなわち、従来のファンフィルタユニットでは、フィルタの交換に際して、４つのナットを緩めてケーシングを上昇させ、その状態で使用済みのフィルタを取り出して、新しいフィルタを装着した後に、各ナットを締め付けてケーシングを押し下げてフィルタを固定する必要がある。このため、従来のファンフィルタユニットには、フィルタの交換が煩雑で交換に時間を要するという問題点が存在する。また、例えば、このファンフィルタユニットを上下方向の幅が狭い筐体内に収容したり、上下方向の幅が狭い空間に設置したときには、特に奥側に位置するナットを緩める作業およびナットを締め付ける作業が非常に困難となることに加えて、奥側に入れた手がケーシングの上昇によって挟まれる危険性もある。
【０００５】
本発明は、かかる問題点に鑑みてなされたものであり、短時間で容易に、かつ安全で効率的にエアフィルタ本体の交換作業を行い得るエアフィルタ装置および送風装置を提供することを主目的とする。
【課題を解決するための手段】
【０００６】
上記目的を達成すべく請求項１記載のエアフィルタ装置は、空気浄化機能を有するエアフィルタ本体を収容すると共に当該エアフィルタ本体を前方側から着脱可能に構成された筐体と、当該筐体内に配設されて前記エアフィルタ本体の上部に当接する前記第１支持部と、前記筐体内に配設されて前記エアフィルタ本体の下部に当接して前記第１支持部と共に当該エアフィルタ本体を支持する第２支持部とを備え、前記第１支持部は、前記筐体の側面における前方側に配設された第１ロッドを挿通させて当該第１ロッドと係合する第１係合部が側部の前方側に配設されると共に、前記筐体の前記側面における後方側に配設された第２ロッドを挿通させて当該第２ロッドと係合する第２係合部が前記側部の後方側に配設されて、前方側が前記第２支持部に対して接離するように後方側を中心として回動可能に前記各ロッドによって支持され、前記第１係合部は、上下方向への前記第１支持部の移動を案内する第１スリットと、当該第１スリットに連続するように形成されて上方側に移動した当該第１支持部の前後方向への移動を案内すると共に前後方向に移動した当該第１支持部の上下方向への移動を規制する第２スリットとを備えて構成され、前記第２係合部は、前記第１支持部の回動を許容すると共に当該第１支持部の前後方向への移動を案内する第３スリットを備えて構成されている。
【０００７】
また、請求項２記載のエアフィルタ装置は、空気浄化機能を有するエアフィルタ本体を収容すると共に当該エアフィルタ本体を前方側から着脱可能に構成された筐体と、当該筐体内に配設されて前記エアフィルタ本体の上部に当接する前記第１支持部と、前記筐体内に配設されて前記エアフィルタ本体の下部に当接して前記第１支持部と共に当該エアフィルタ本体を支持する第２支持部とを備え、前記第２支持部は、前記筐体の側面における前方側に配設された第３ロッドを挿通させて当該第３ロッドと係合する第３係合部が側部の前方側に配設されると共に、前記筐体の前記側面における後方側に配設された第４ロッドを挿通させて当該第４ロッドと係合する第４係合部が前記側部の後方側に配設されて、前方側が前記第１支持部に対して接離するように後方側を中心として回動しかつ前方下がりの傾斜状態で移動可能に前記各ロッドによって支持され、前記第３係合部は、前後方向への前記第２支持部の移動を案内すると共に後方側に位置している当該第２支持部の上下方向への移動を規制する第４スリットと、当該第４スリットに連続するように形成されて前方側に移動した当該第２支持部の上下方向への移動を案内する第５スリットと、当該第５スリットに連続するように形成されて下方側に移動した当該第２支持部の前記前方下がりの傾斜状態での移動を案内する第６スリットとを備えて構成され、前記第４係合部は、前後方向への前記第２支持部の移動を案内すると共に後方側に位置している当該第２支持部の上下方向への移動を規制する第７スリットと、当該第７スリットに連続するように形成されて前方側に移動した当該第２支持部の回動を許容すると共に当該第２支持部の前記前方下がりの傾斜状態での移動を案内する第８スリットとを備えて構成されている。
【０００８】
また、請求項３記載のエアフィルタ装置は、空気浄化機能を有するエアフィルタ本体を収容すると共に当該エアフィルタ本体を前方側から着脱可能に構成された筐体と、当該筐体内に配設されて前記エアフィルタ本体の上部に当接する前記第１支持部と、前記筐体内に配設されて前記エアフィルタ本体の下部に当接して前記第１支持部と共に当該エアフィルタ本体を支持する第２支持部とを備え、前記第１支持部は、前方側が前記第２支持部に対して接離するように後方側を中心として回動可能に支持され、前記第２支持部は、前方側が前記第１支持部に対して接離するように後方側を中心として回動しかつ前方下がりの傾斜状態で移動可能に支持されている。
【０００９】
さらに、請求項４記載のエアフィルタ装置は、請求項３記載のエアフィルタ装置において、前記第１支持部は、前記筐体の側面における前方側に配設された第１ロッドを挿通させて当該第１ロッドと係合する第１係合部が側部の前方側に配設されると共に、前記筐体の前記側面における後方側に配設された第２ロッドを挿通させて当該第２ロッドと係合する第２係合部が前記側部の後方側に配設されて、前記第１ロッドおよび前記第２ロッドによって支持され、前記第１係合部は、上下方向への前記第１支持部の移動を案内する第１スリットと、当該第１スリットに連続するように形成されて上方側に移動した当該第１支持部の前後方向への移動を案内すると共に前後方向に移動した当該第１支持部の上下方向への移動を規制する第２スリットとを備えて構成され、前記第２係合部は、前記第１支持部の回動を許容すると共に当該第１支持部の前後方向への移動を案内する第３スリットを備えて構成され、前記第２支持部は、前記筐体の側面における前方側に配設された第３ロッドを挿通させて当該第３ロッドと係合する第３係合部が側部の前方側に配設されると共に、前記筐体の前記側面における後方側に配設された第４ロッドを挿通させて当該第４ロッドと係合する第４係合部が前記側部の後方側に配設されて、前記第３ロッドおよび前記第４ロッドによって支持され、前記第３係合部は、前後方向への前記第２支持部の移動を案内すると共に後方側に位置している当該第２支持部の上下方向への移動を規制する第４スリットと、当該第４スリットに連続するように形成されて前方側に移動した当該第２支持部の上下方向への移動を案内する第５スリットと、当該第５スリットに連続するように形成されて下方側に移動した当該第２支持部の前記前方下がりの傾斜状態での移動を案内する第６スリットとを備えて構成され、前記第４係合部は、前後方向への前記第２支持部の移動を案内すると共に後方側に位置している当該第２支持部の上下方向への移動を規制する第７スリットと、当該第７スリットに連続するように形成されて前方側に移動した当該第２支持部の回動を許容すると共に当該第２支持部の前記前方下がりの傾斜状態での移動を案内する第８スリットとを備えて構成されている。
【００１０】
また、請求項５記載のエアフィルタ装置は、請求項１から４のいずれかに記載のエアフィルタ装置において、前記エアフィルタ本体によって浄化された空気を排出する排出口が前記第１支持部に形成されると共に、当該浄化された空気を外部に供給する供給口が前記筐体に形成され、前記排出口および前記供給口は、伸縮可能に構成された接続ダクトによって接続されている。
【００１１】
また、請求項６記載の送風装置は、請求項１から５のいずれかに記載のエアフィルタ装置と、当該エアフィルタ装置が取り付けられる送風装置本体とを備え、前記エアフィルタ装置は、前記送風装置本体から送風される空気を浄化する。
【発明の効果】
【００１２】
また、請求項１記載のエアフィルタ装置、および請求項６記載の送風装置では、第１支持部が、第１係合部に挿通された第１ロッド、および第２係合部に挿通された第２ロッドによって前方側が第２支持部に対して接離するように回動可能に支持されている。このため、このエアフィルタ装置および送風装置では、第１支持部の前方側を掴んで押し上げの動作や押し込みの動作を行うだけで、エアフィルタ本体の取り出しが可能な状態とすることができる。また、第２支持部にエアフィルタ本体を載置した後に、取り出しの際の各動作とは逆の動作を行うだけで、エアフィルタ本体を筐体内に収容して支持させることができる。したがって、このエアフィルタ装置および送風装置によれば、４つのナットを緩める作業および各ナットを締め付ける作業が必要な従来のファンフィルタユニットと比較して、十分に短時間でかつ容易にエアフィルタ本体の交換作業を行うことができる。また、このエアフィルタ装置および送風装置によれば、筐体の前方側のみで全ての交換作業を実施することができ、交換作業の際に筐体の後方側に手を入れる必要がないため、筐体と第１支持部や第２支持部とによって手が挟まれる事態を確実に回避することができる。したがって、このエアフィルタ装置および送風装置によれば、エアフィルタ本体の交換作業を十分に安全かつ効率的に行うことができる。
【００１３】
また、請求項２記載のエアフィルタ装置、および請求項６記載の送風装置では、第２支持部が、第３係合部に挿通された第３ロッド、および第４係合部に挿通された第４ロッドによって前方側が第１支持部に対して接離するように回動しかつ前方下がりに傾斜する方向に沿って移動可能に支持されている。このため、このエアフィルタ装置および送風装置では、第２支持部の前方側を掴んで引き出しの動作や押し下げの動作を行うだけで、エアフィルタ本体の取り出しが可能な状態とすることができる。また、第２支持部にエアフィルタ本体を載置した後に、取り出しの際の各動作とは逆の動作を行うだけで、エアフィルタ本体を筐体内に収容して支持させることができる。したがって、このエアフィルタ装置および送風装置によれば、４つのナットを緩める作業および各ナットを締め付ける作業が必要な従来のファンフィルタユニットと比較して、十分に短時間でかつ容易にエアフィルタ本体の交換作業を行うことができる。また、このエアフィルタ装置および送風装置によれば、筐体の前方側のみで全ての交換作業を実施することができ、交換作業の際に筐体の後方側に手を入れる必要がないため、筐体と第１支持部や第２支持部とによって手が挟まれる事態を確実に回避することができる。したがって、このエアフィルタ装置および送風装置によれば、エアフィルタ本体の交換作業を十分に安全かつ効率的に行うことができる。
【００１４】
請求項３記載のエアフィルタ装置、および請求項６記載の送風装置では、第１支持部の前方側が第２支持部に対して接離するように第１支持部が後方側を中心として回動可能に支持され、第２支持部の前方側が第１支持部に対して接離するように第２支持部が後方側を中心として回動しかつ前方下がりの傾斜状態で移動可能に支持されている。このため、このエアフィルタ装置および送風装置では、第１支持部の前方側を掴んで押し上げの動作や押し込みの動作を行い、第２支持部の前方側を掴んで引き出しの動作や押し下げの動作を行うだけで、エアフィルタ本体の取り出しが可能な状態とすることができる。また、第２支持部にエアフィルタ本体を載置した後に、取り出しの際の各動作とは逆の動作を行うだけで、エアフィルタ本体を筐体内に収容して支持させることができる。したがって、このエアフィルタ装置および送風装置によれば、４つのナットを緩める作業および各ナットを締め付ける作業が必要な従来のファンフィルタユニットと比較して、十分に短時間でかつ容易にエアフィルタ本体の交換作業を行うことができる。また、このエアフィルタ装置および送風装置によれば、筐体の前方側のみで全ての交換作業を実施することができ、交換作業の際に筐体の後方側に手を入れる必要がないため、筐体と第１支持部や第２支持部とによって手が挟まれる事態を確実に回避することができる。したがって、このエアフィルタ装置および送風装置によれば、エアフィルタ本体の交換作業を十分に安全かつ効率的に行うことができる。
【００１５】
また、請求項４記載のエアフィルタ装置、および請求項６記載の送風装置では、第１スリットおよび第２スリットで構成された第１係合部に係合する第１ロッドと、第３スリットで構成された第２係合部に係合する第２ロッドとによって第１支持部が支持され、第４スリット、第５スリットおよび第６スリットで構成された第３係合部に係合する第３ロッドと、第７スリットおよび第８スリットで構成された第４係合部に係合する第４ロッドとによって第２支持部が支持されている。このため、第１支持部および第２支持部を支持する機構を十分簡易に構成することができる。
【００１６】
さらに、請求項５記載のエアフィルタ装置、および請求項６記載の送風装置では、第１支持部に形成された排出口と筐体に形成されてエアフィルタ本体によって浄化された空気を外部に供給する供給口とを接続する接続ダクトが伸縮可能に構成されている。このため、このエアフィルタ装置および送風装置によれば、第１支持部の回動や移動等に伴って排出口と供給口との距離が変化したとしても、それに応じて接続ダクトが伸縮するため、エアフィルタ本体の交換作業の際の第１支持部の回動および移動に起因する接続ダクトの外れや破損を確実に防止することができる。
【図面の簡単な説明】
【００１７】
【図１】送風装置１の斜視図である。
【図２】送風装置１の構成を示す構成図である。
【図３】側面パネル７１ａ，７１ｂおよび前面パネル７２を取り外した状態のエアフィルタ装置３の斜視図である。
【図４】側面パネル７１ａ，７１ｂ、前面パネル７２およびエアフィルタ本体２４を取り外した状態のエアフィルタ装置３の斜視図である。
【図５】エアフィルタ装置３の構成を説明する側面図である。
【図６】エアフィルタ装置３におけるエアフィルタ本体２４の交換方法を説明する第１の説明図である。
【図７】エアフィルタ装置３におけるエアフィルタ本体２４の交換方法を説明する第２の説明図である。
【図８】エアフィルタ装置３におけるエアフィルタ本体２４の交換方法を説明する第３の説明図である。
【図９】送風装置１０１におけるエアフィルタ装置１０３の構成を示す構成図である。
【図１０】エアフィルタ装置１０３における第１支持部２２および第２支持部１２３の構成を説明する側面図である。
【図１１】エアフィルタ装置１０３におけるエアフィルタ本体２４の交換方法を説明する第１の説明図である。
【図１２】エアフィルタ装置１０３におけるエアフィルタ本体２４の交換方法を説明する第２の説明図である。
【図１３】エアフィルタ装置１０３におけるエアフィルタ本体２４の交換方法を説明する第３の説明図である。
【図１４】エアフィルタ装置１０３におけるエアフィルタ本体２４の交換方法を説明する第４の説明図である。
【図１５】送風装置２０１におけるエアフィルタ装置２０３の構成を示す構成図である。
【図１６】エアフィルタ装置２０３の構成を説明する側面図である。
【図１７】エアフィルタ装置３０３の構成を説明する側面図である。
【発明を実施するための形態】
【００１８】
以下、添付図面を参照して、エアフィルタ装置および送風装置の実施の形態について説明する。
【００１９】
図１に示す送風装置１は、空気を所定の温度に温度調整すると共に、その空気を浄化して送風（供給）する装置であって、同図および図２に示すように、送風装置本体２およびエアフィルタ装置３を備えて構成されている。
【００２０】
送風装置本体２は、図２に示すように、温度調整部１１、ファン１２、制御部１３およびこれらを収容する筐体１４を備えて構成されている。
【００２１】
温度調整部１１は、制御部１３の制御に従って作動して、ファン１２の作動に伴って筐体１４の側面パネル１４ａに形成されている吸気口１４ｂ（図１参照）から流入した筐体１４の外部の空気を所定の温度となるように加熱または冷却する温度調整を行う。ファン１２は、制御部１３の制御に従って作動して、温度調整部１１によって温度調整された空気を送風する。
【００２２】
この場合、この送風装置本体２では、図２に示すように、筐体１４の天面パネル１４ｃに通気口１４ｄが形成され、この通気口１４ｄとファン１２とが接続ダクト１５によって繋がれている。また、同図に示すように、筐体１４の上（天面パネル１４ｃの上）にエアフィルタ装置３が取り付けられた際に、エアフィルタ装置３における後述する第２支持部２３のベース部２３ａに形成されている通気口２３ｂと通気口１４ｄとが連通する。このため、ファン１２によって送風される温度調整後の空気が接続ダクト１５および通気口１４ｄ，２３ｂを通って第２支持部２３のベース部２３ａ内に流入する。制御部１３は、図外の操作部に対する操作に応じて温度調整部１１およびファン１２を制御する。
【００２３】
エアフィルタ装置３は、図２，３に示すように、筐体２１、第１支持部２２、第２支持部２３、エアフィルタ本体２４および接続ダクト２５を備えて、送風装置本体２から送風される温度調整後の空気を浄化可能に構成されている。なお、図２では、側面パネル７１ａ，７１ｂを取り外した状態のエアフィルタ装置３を図示し、図３および後述する図４では、側面パネル７１ａ，７１ｂおよび前面パネル７２を取り外した状態のエアフィルタ装置３を図示している。
【００２４】
筐体２１は、図１に示すように、側面パネル７１ａ，７１ｂ、前面パネル７２、背面パネル７３および天面パネル７４を備えて底部が開口した直方体状に形成され、エアフィルタ本体２４を収容可能に構成されると共に、エアフィルタ本体２４を前方側（前面パネル７２側）から交換可能（着脱可能）に構成されている。この場合、図２に示すように、天面パネル７４には、供給口７５が形成されて、供給口７５には、供給対象に空気を供給するための供給用ダクト４が接続されている。また、筐体２１内の後方側（背面パネル７３側）には、エアフィルタ本体２４の後方側に当接してエアフィルタ本体２４の後方側への移動を規制すると共に、エアフィルタ本体２４の前後方向の位置決めをするためのストッパー７７が配設されている。
【００２５】
また、図４に示すように、筐体２１における側面パネル７１ａ，７１ｂの内側（筐体２１の側面）には、フレーム７６ａ，７６ｂ（以下、区別しないときには単に「フレーム７６」ともいう）が取り付けられている。さらに、図５に示すように、フレーム７６における上部の前方側（同図における左側）には、第１ロッド３１が取り付けられて、フレーム７６における上部の後方側（同図における右側）には、第２ロッド３２が取り付けられている。この場合、フレーム７６は、後述する第１支持部２２に設けられている第１係合部４１および第２係合部４２に各ロッド３１，３２がそれぞれ係合することによって第１支持部２２を支持する。また、フレーム７６は、後述する第２支持部２３のガイド板２３ｄが固定されることによって第２支持部２３を支持する。
【００２６】
第１支持部２２は、図４，５に示すように、ベース部２２ａ、鍔部２２ｃ、および２枚のガイド板２２ｄを備えて構成され、筐体２１内に配設されて、エアフィルタ本体２４の上部２４ａに鍔部２２ｃが当接して、第２支持部２３と共にエアフィルタ本体２４を支持（固定）する。ベース部２２ａは、下方側が開口する矩形の皿状に形成されている。また、ベース部２２ａの天面には、排出口２２ｂが形成されている。鍔部２２ｃは、ベース部２２ａの縁部に配設されている。また、鍔部２２ｃには、エアフィルタ本体２４の上部２４ａとの機密性を高めるための図外のシール材（緩衝材）が取り付けられている。
【００２７】
各ガイド板２２ｄは、図５に示すように、長尺に形成されて、対向する２つの（図４における左右一対の）鍔部２２ｃにそれぞれ取り付けられている。この場合、ガイド板２２ｄは、筐体２１からのエアフィルタ本体２４の取り出し、および筐体２１に対するエアフィルタ本体２４の収容の際のガイドとしても機能する。また、ガイド板２２ｄの前方側（図５における左側）には、筐体２１に配設されている第１ロッド３１を挿通させて第１ロッド３１と係合する第１係合部４１が設けられ、ガイド板２２ｄの後方側（同図における右側）には、筐体２１に配設されている第２ロッド３２を挿通させて第２ロッド３２と係合する第２係合部４２が設けられている。
【００２８】
この場合、第１係合部４１は、図５に示すように、略垂直方向に沿って形成されて、第１ロッド３１に対する第１支持部２２の上下方向（同図に示す矢印Ａの方向）への移動を案内する第１スリット５１と、第１スリット５１に連続するようにして略水平方向に沿って形成されて、上方側に移動した第１支持部２２の第１ロッド３１に対する前後方向（同図に示す矢印Ｂの方向：エアフィルタ装置３の前後方向）への移動を案内すると共に前後方向の一例としての後方側に移動した第１支持部２２の第１ロッド３１に対する上下方向への移動を規制する第２スリット５２とを備えて、全体としてＬ字状に構成されている。また、第２係合部４２は、同図に示すように、第２ロッド３２に対する第１支持部２２の回動を許容すると共に第２ロッド３２に対する第１支持部２２の前後方向（エアフィルタ装置３の前後方向）への移動を案内する第３スリット５３を備えて、全体として長孔状に構成されている。
【００２９】
このエアフィルタ装置３では、各係合部４１，４２を上記したように構成したことで、第１支持部２２は、前方側が第２支持部２３に対して接離するように後方側を中心として回動可能でかつ前後方向に移動可能に各ロッド３１，３２によって支持されている。
【００３０】
第２支持部２３は、図４，５に示すように、ベース部２３ａ、鍔部２３ｃ、および２枚のガイド板２３ｄを備えて構成され、筐体２１内に配設されて、エアフィルタ本体２４の下部２４ｂに鍔部２３ｃが当接して、第１支持部２２と共にエアフィルタ本体２４を支持（固定）する。ベース部２３ａは、上方が開口する矩形の皿状に形成されている。また、ベース部２３ａの底面には、通気口２３ｂが形成されている。この場合、通気口２３ｂは、エアフィルタ装置３が送風装置本体２における天面パネル１４ｃに取り付けられた状態において、天面パネル１４ｃに形成されている通気口１４ｄに連通する。鍔部２３ｃは、ベース部２３ａの縁部に配設されている。また、鍔部２３ｃには、エアフィルタ本体２４の下部２４ｂとの機密性を高めるための図外のシール材（緩衝材）が取り付けられている。
【００３１】
各ガイド板２３ｄは、長尺に形成されて、対向する２つの（図４における左右一対の）鍔部２３ｃにそれぞれ取り付けられている。この場合、ガイド板２３ｄは、第１支持部２２のガイド板２２ｄと同様にして、筐体２１からのエアフィルタ本体２４の取り出し、および筐体２１に対するエアフィルタ本体２４の収容の際のガイドとしても機能する。また、ガイド板２３ｄは、筐体２１のフレーム７６に固定されており、これによって第２支持部２３がフレーム７６（筐体２１）に支持されている。
【００３２】
エアフィルタ本体２４は、一例として、ＨＥＰＡフィルタ (High Efficiency Particulate Air Filter )であって、フレーム内に空気浄化機能を有する濾紙が充填されて全体として厚板状に構成されている。
【００３３】
接続ダクト２５は、第１支持部２２におけるベース部２２ａの天面と筐体２１の天面パネル７４との間に配設されて、ベース部２２ａの天面に形成されている排出口２２ｂと筐体２１の天面パネル７４に形成されている供給口７５とを繋いでいる。この場合、接続ダクト２５は、伸縮および曲げ変形が可能な蛇腹タイプの筒体で構成されて、第１支持部２２の回動および移動に伴って伸縮および曲げ変形する。
【００３４】
この送風装置１では、図外の操作部に対して運転開始操作がされると、送風装置本体２の制御部１３が温度調整部１１およびファン１２を作動させる。これに伴い、送風装置本体２における筐体１４の側面パネル１４ａに形成されている吸気口１４ｂから筐体１４の外部の空気が筐体１４内に流入する。また、温度調整部１１が、流入した空気を所定の温度となるように温度調整を行う。さらに、ファン１２が、温度調整部１１によって温度調整された空気を送風する。この際に、送風された温度調整後の空気が、ファン１２に繋がれている接続ダクト１５、筐体１４の天面パネル１４ｃに形成されている通気口１４ｄ、およびエアフィルタ装置３における第２支持部２３のベース部２３ａに形成されている通気口２３ｂを通ってベース部２３ａ内に流入する。
【００３５】
次いで、ベース部２３ａ内に流入した空気がエアフィルタ本体２４内を通過することによって浄化される。続いて、エアフィルタ本体２４によって浄化された空気は、第１支持部２２のベース部２２ａ内に流入し、ベース部２２ａに形成されている排出口２２ｂ、排出口２２ｂに接続されている接続ダクト２５、および筐体２１における天面パネル７４の供給口７５に接続されている供給用ダクト４を通って供給対象に供給（送風）される。
【００３６】
一方、エアフィルタ装置３のエアフィルタ本体２４を交換するときには、最初に、エアフィルタ装置３の筐体２１に収容されている使用済みのエアフィルタ本体２４を取り出す。具体的には、図６に示すように、まず、第１支持部２２の前方側を掴んで上方側に向けて（同図に示す矢印Ａ１の向きに）押し上げる。この際に、第１支持部２２のガイド板２２ｄに設けられている第１係合部４１の第１スリット５１、および第１スリット５１に挿通されている第１ロッド３１によって第１支持部２２の前方側が上方に案内される。また、この際に、ガイド板２２ｄに設けられている第２係合部４２の第３スリット５３に挿通されている第２ロッド３２に対する第１支持部２２の回動が許容される。このため、同図に示すように、第１支持部２２の前方側が第２支持部２３から離反するように後方側（第２ロッド３２）を中心として回動し、これによって第１支持部２２の鍔部２２ｃとエアフィルタ本体２４との当接状態（第１支持部２２と第２支持部２３とによるエアフィルタ本体２４の支持状態）が解除される。
【００３７】
次いで、図７に示すように、上方側に移動した（回動した）第１支持部２２の前方側を掴んで後方側に向けて（同図に示す矢印Ｂ１の向きに）押し込む。この際に、第１係合部４１の第２スリット５２、第２スリット５２に挿通されている第１ロッド３１、第２係合部４２の第３スリット５３、および第３スリット５３に挿通されている第２ロッド３２によって第１支持部２２が後方側に案内される。これにより、同図に示すように、第１支持部２２が後方側に移動する。また、後方側に移動した第１支持部２２は、第２スリット５２、および第２スリット５２に挿通されている第１ロッド３１によって上下方向への移動が規制される。このため、第１支持部２２の前方側が第２支持部２３から離反し、かつ第１支持部２２が後方側に移動した状態でロックされてその状態が確実が維持される。この結果、第１支持部２２の前方側が下がってしまうことがないため、安全かつ効率的であると共に、第１支持部２２の前方側が第２支持部２３から離反した開口状態を保持するための道具やそのための動作が不要なため作業性が大幅に向上する。以上により、エアフィルタ本体２４の取り出しが可能な状態となる。
【００３８】
この場合、このエアフィルタ装置３では、第１支持部２２におけるベース部２２ａに形成されている排出口２２ｂと筐体２１の天面パネル７４に形成されている供給口７５とを接続する接続ダクト２５が伸縮可能でかつ曲げ変形可能な蛇腹タイプの筒体で構成されているため、第１支持部２２の回動および移動に伴って排出口２２ｂと供給口７５との距離が変化したとしても、それに応じて接続ダクト２５が伸縮および曲げ変形する。このため、エアフィルタ本体２４の交換作業の際の第１支持部２２の回動および移動に起因する接続ダクト２５の外れや破損が確実に防止されている。
【００３９】
次いで、図８に示すように、使用済みのエアフィルタ本体２４を前方側に（同図に示す矢印Ｂ２の向きに）引き出すようにして筐体２１から取り出す。この場合、上記した第１支持部２２の回動および移動によって第１支持部２２の前方側と第２支持部２３の前方側とが離反して前方側が広く開口した状態となっている。このため、エアフィルタ本体２４の引き出しを容易に行うことが可能となっている。また、第１支持部２２の前方側が下がってしまうことがないため安全かつ効率的にであるとともに、第１支持部２２の前方側と第２支持部２３の前方側とが離反した開口状態を保持するための道具やそのための動作が不要なため作業性が大幅に向上する。
【００４０】
続いて、新たなエアフィルタ本体２４を筐体２１に収容する。具体的には、第２支持部２３の前方側にエアフィルタ本体２４の後方側を載置し、次いでガイド板２３ｄに沿わせるようにしてエアフィルタ本体２４を後方側に向けて押し込み、筐体２１内の後方側に配設されているストッパー７７にエアフィルタ本体２４を後方側を当接させる。これにより、エアフィルタ本体２４の下部２４ｂと第２支持部２３の鍔部２３ｃとが当接した状態でエアフィルタ本体２４が第２支持部２３に載置される。
【００４１】
次いで、第１支持部２２の前方側を掴んで前方側に向けて引き出す。この際に、各係合部４１，４２の各スリット５２，５３、および各ロッド３１，３２によって案内されて、第１支持部２２が前方側に移動する。続いて、移動した第１支持部２２の前方側を掴んで下方側に向けて押し下げる。この際に、第１係合部４１の第１スリット５１、および第１ロッド３１によって案内されて、第１支持部２２の前方側が第２支持部２３に近接するように回動し、これによって第１支持部２２の鍔部２２ｃとエアフィルタ本体２４とが当接して、第１支持部２２と第２支持部２３とによってエアフィルタ本体２４が支持（固定）される。また、この状態では、第１支持部２２の鍔部２２ｃに設けられたシール材が鍔部２２ｃとエアフィルタ本体２４の上部２４ａとで挟み込まれると共に、第２支持部２３の鍔部２３ｃに設けられたシール材が鍔部２３ｃとエアフィルタ本体２４の下部２４ｂとで挟み込まれるため、第１支持部２２および第２支持部２３とエアフィルタ本体２４との間の気密性が高められている。以上により、筐体２１への新たなエアフィルタ本体２４の収容が完了する。
【００４２】
なお、好ましくは、エアフィルタ本体２４を確実に固定するために、第１支持部２２および第２支持部２３にフランジ部などを設けて、第１支持部２２と第２支持部２３とによってエアフィルタ本体２４を支持した状態で、上記のフランジ部を筐体２１側にボルト締めする構成を採用することができる。この場合であっても、第１支持部２２側および第２支持部２３側にそれぞれ一本程度のボルト締めを行うだけで十分であり、筐体２１の前方側からボルト締め可能な位置にフランジ部などを設けることで、作業性を損なうことなく、より確実にエアフィルタ本体２４を固定することができる。
【００４３】
このように、このエアフィルタ装置３および送風装置１では、第１支持部２２が、第１係合部４１に挿通された第１ロッド３１、および第２係合部４２に挿通された第２ロッド３２によって前方側が第２支持部２３に対して接離するように回動可能に支持されている。このため、このエアフィルタ装置３および送風装置１では、第１支持部２２の前方側を掴んで押し上げの動作や押し込みの動作を行うだけで、エアフィルタ本体２４の取り出しが可能な状態とすることができる。また、第２支持部２３にエアフィルタ本体２４を載置した後に、取り出しの際の各動作とは逆の動作を行うだけで、エアフィルタ本体２４を筐体２１内に収容して支持させることができる。したがって、このエアフィルタ装置３および送風装置１によれば、４つのナットを緩める作業および各ナットを締め付ける作業が必要な従来のファンフィルタユニットと比較して、十分に短時間でかつ容易にエアフィルタ本体２４の交換作業を行うことができる。また、このエアフィルタ装置３および送風装置１によれば、筐体２１の前方側のみで全ての交換作業を実施することができ、交換作業の際に筐体２１の後方側に手を入れる必要がないため、筐体２１と第１支持部２２や第２支持部２３とによって手が挟まれる事態を確実に回避することができる。したがって、このエアフィルタ装置３および送風装置１によれば、エアフィルタ本体２４の交換作業を十分に安全かつ効率的に行うことができる。
【００４４】
また、このエアフィルタ装置３および送風装置１では、第１支持部２２に形成された排出口２２ｂと筐体２１の天面パネル７４に形成されてエアフィルタ本体２４によって浄化された空気を外部に供給する供給口７５とを接続する接続ダクト２５が伸縮可能に構成されている。このため、このエアフィルタ装置３および送風装置１によれば、第１支持部２２の回動や移動に伴って排出口２２ｂと供給口７５との距離が変化したとしても、それに応じて接続ダクト２５が伸縮および曲げ変形するため、エアフィルタ本体２４の交換作業の際の第１支持部２２の回動および移動に起因する接続ダクト２５の外れや破損を確実に防止することができる。
【００４５】
次に、他の実施例としての送風装置１０１について説明する。なお、以下の説明において、上記した送風装置１と同じ構成要素には同じ符号を付して重複する説明を省略する。図９に示す送風装置１０１は、上記した送風装置本体２とエアフィルタ装置１０３を備えて構成され、送風装置１と同様にして、空気を所定の温度に温度調整すると共に、その空気を浄化して送風可能に構成されている。エアフィルタ装置１０３は、同図に示すように、筐体１２１、第１支持部２２、第２支持部１２３、エアフィルタ本体２４および接続ダクト２５を備えて、送風装置本体２から送風される温度調整後の空気を浄化可能に構成されている。なお、同図では、側面パネル７１ａ，７１ｂを取り外した状態のエアフィルタ装置１０３を図示している。
【００４６】
筐体１２１における側面パネル７１ａ，７１ｂの内側（筐体１２１の側面）には、図１０に示すように、上記したフレーム７６に代えて、フレーム１７６がそれぞれ取り付けられている。この場合、フレーム１７６における上部の前方側（同図における左側）には、第１ロッド３１が取り付けられて、フレーム１７６における上部の後方側（同図における右側）には、第２ロッド３２が取り付けられている。また、フレーム１７６における下部の前方側には、第３ロッド３３が取り付けられて、フレーム１７６における下部の後方側には、第４ロッド３４が取り付けられて、フレーム１７６における下部の中央部には、第５ロッド３５が取り付けられている。この場合、フレーム１７６は、上記したエアフィルタ装置３と同様にして、第１支持部２２を支持すると共に、後述する第２支持部１２３に設けられている第３係合部４３、第４係合部４４および第５係合部４５に各ロッド３３〜３５がそれぞれ係合することによって第２支持部１２３を支持する。
【００４７】
第２支持部１２３は、図１０に示すように、ベース部２３ａ、鍔部２３ｃ、および２枚のガイド板１２３ｄ（同図では、１枚のみを図示している）を備えて構成され、筐体１２１内に配設されて、エアフィルタ本体２４の下部２４ｂに鍔部２３ｃが当接して、第１支持部２２と共にエアフィルタ本体２４を支持（固定）する。
【００４８】
各ガイド板１２３ｄは、長尺に形成されて、対向する２つの鍔部２３ｃにそれぞれ取り付けられている。この場合、ガイド板１２３ｄは、第１支持部２２のガイド板２２ｄと同様にして、筐体１２１からのエアフィルタ本体２４の取り出し、および筐体１２１に対するエアフィルタ本体２４の収容の際のガイドとしても機能する。また、図１０に示すように、ガイド板１２３ｄの前方側には、筐体１２１に配設されている第３ロッド３３を挿通させて第３ロッド３３と係合する第３係合部４３が設けられ、ガイド板１２３ｄの後方側には、筐体１２１に配設されている第４ロッド３４を挿通させて第４ロッド３４と係合する第４係合部４４が設けられている。さらに、ガイド板１２３ｄにおける長手方向の中央部には、筐体１２１に配設されている第５ロッド３５と係合する第５係合部４５が設けられている。
【００４９】
この場合、第３係合部４３は、図１０に示すように、略水平方向に沿って形成されて、第３ロッド３３に対する第２支持部１２３の前後方向への移動を案内すると共に後方側に位置している第２支持部１２３の第３ロッド３３に対する上下方向の移動を規制する第４スリット５４と、第４スリット５４に連続するようにして略垂直方向に沿って形成されて前方側に移動した第２支持部１２３の第３ロッド３３に対する上下方向への移動を案内する第５スリット５５と、第５スリット５５に連続するようにして前方下がりに（後方上がりに）傾斜する方向（後方側が高く前方側ほど低くなる方向であって、同図に示す矢印Ｃの方向）に沿って形成されて下方側に移動した第２支持部１２３の第３ロッド３３に対する前方下がりに傾斜する方向への移動を案内する第６スリット５６とを備えて、クランク状に構成されている。
【００５０】
また、第４係合部４４は、図１０に示すように、第４ロッド３４に対する第２支持部１２３の前後方向への移動を案内すると共に後方側に位置している第２支持部１２３の第４ロッド３４に対する上下方向の移動を規制する第７スリット５７と、第７スリット５７に連続するようにして前方下がりに傾斜する方向に沿って形成されて前方側に移動した第２支持部１２３の第４ロッド３４に対する回動を許容すると共に第２支持部１２３の第４ロッド３４に対する前方下がりに傾斜する方向への移動を案内する第８スリット５８とを備えて、クランク状に構成されている。
【００５１】
さらに、第５係合部４５は、図１０に示すように、略水平方向に沿って形成されて、第５ロッド３５に対する第２支持部１２３の前後方向への移動を案内すると共に後方側に位置している第２支持部１２３の第５ロッド３５に対する上下方向の移動を規制する第９スリット５９と、第９スリット５９に連続するようにして略垂直方向に沿って形成されて前方側に移動した第２支持部１２３の第５ロッド３５に対する上下方向への移動を案内する第１０スリット６０と、第１０スリット６０に連続するようにして前方下がりに傾斜する方向に沿って形成されて下方側に移動した第２支持部１２３の第５ロッド３５に対する前方下がりに傾斜する方向への移動を案内する第１１スリット６１とを備えて、クランク状に構成されている。この場合、同図に示すように、第６スリット５６、第８スリット５８および第１１スリット６１における各々の傾斜角度（前方下がりに傾斜する角度）は、第２支持部１２３を前方下がりに傾斜する方向へ移動させる際の移動軌跡に対応して、互いに異なるように（具体的には、スリット５６，６１，５８の順に傾斜角度が大きくなるように）規定されている。
【００５２】
このエアフィルタ装置１０３では、各係合部４３〜４５を上記したように構成したことで、第２支持部１２３は、前後方向に移動可能で、かつ前方側が第１支持部２２に対して接離するように後方側を中心として回動して、さらに前方下がりに傾斜する方向に沿って移動可能に各ロッド３３〜３５によって支持されている。なお、このエアフィルタ装置１０３では、第２支持部１２３のガイド板１２３ｄに第３係合部４３、第４係合部４４および第５係合部４５の３つ係合部を配設しているが、ガイド板１２３ｄにおける長手方向の中央部に配設した係合部（この例では、第５係合部４５）の配設を省略して、前方側および後方側に１つずつの係合部を配設する構成を採用することもできる。また、この構成では、第５ロッド３５の配設を省略したフレーム１７６を用いることができる。
【００５３】
一方、このエアフィルタ装置１０３のエアフィルタ本体２４を交換するときには、最初に、エアフィルタ装置１０３の筐体１２１に収容されている使用済みのエアフィルタ本体２４を取り出す。この場合、まず、上記したエアフィルタ装置３におけるエアフィルタ本体２４の取り出しの際の各動作と同様にして、第１支持部２２の前方側が第２支持部１２３から離反するように第１支持部２２を回動させた後に、第１支持部２２を後方側に移動させる。
【００５４】
続いて、図１１に示すように、第２支持部１２３の前方側を掴んで前方側（手前）に向けて（同図に示す矢印Ｂ２の向きに）引き出す。この際に、第２支持部１２３のガイド板１２３ｄに設けられている第３係合部４３、第４係合部４４および第５係合部４５の第４スリット５４、第７スリット５７および第９スリット５９、並びにこれらの各スリット５４，５７，５９にそれぞれ挿通されている第３ロッド３３、第４ロッド３４および第５ロッド３５によって第２支持部１２３が前方側に案内される。これにより、同図に示すように、第２支持部１２３、および第２支持部１２３に支持（載置）されているエアフィルタ本体２４が前方側に移動する。また、前方側への第２支持部１２３の移動により、各スリット５４，５７，５９および各ロッド３３，３４，３５による第２支持部１２３の上下方向への移動規制が解除される。
【００５５】
次いで、図１２に示すように、前方側に移動した第２支持部１２３の前方側を掴んで下方側に向けて（同図に示す矢印Ａ２の向きに）押し下げる。この際に、第３係合部４３および第５係合部４５の第５スリット５５および第１０スリット６０、並びにこれらの各スリット５５，６０にそれぞれ挿通されている第３ロッド３３および第５ロッド３５によって第２支持部１２３の前方側が下方に案内される。また、この際に、第４係合部４４の第８スリット５８に挿通されている第４ロッド３４に対する第２支持部１２３の回動が許容される。これにより、同図に示すように、第２支持部１２３およびエアフィルタ本体２４の前方側が第１支持部２２から離反するように後方側（第４ロッド３４）を中心として回動する。
【００５６】
続いて、図１３に示すように、下方側に移動した（回動した）第２支持部１２３の前方側を掴んで前方下がりに傾斜する向きに（同図に示す矢印Ｃ１の向きに）引き出す。この際に、第３係合部４３、第４係合部４４および第５係合部４５の第６スリット５６、第８スリット５８および第１１スリット６１、並びにこれらの各スリット５６，５８，６１にそれぞれ挿通されている第３ロッド３３、第４ロッド３４および第５ロッド３５によって第２支持部１２３が前方下がりに傾斜する向きに案内される。これにより、同図に示すように、第２支持部１２３およびエアフィルタ本体２４が前方下がりに傾斜する向きに移動する。以上により、エアフィルタ本体２４の取り出しが可能な状態となる。
【００５７】
次いで、図１４に示すように、使用済みのエアフィルタ本体２４を前方側に（同図に示す矢印Ｂ２の向きに）引き出すようにして筐体１２１から取り出す。この場合、上記した第１支持部２２および第２支持部１２３の回動および移動によって第１支持部２２の前方側と第２支持部１２３の前方側とが離反して前方側が上下に広く開口した状態となっている。このため、エアフィルタ本体２４の引き出しを容易に行うことが可能となっている。
【００５８】
続いて、新たなエアフィルタ本体２４を筐体１２１に収容する。具体的には、第２支持部１２３の前方側にエアフィルタ本体２４の後方側を載置し、次いでガイド板２３ｄに沿わせるようにしてエアフィルタ本体２４を後方側に向けて押し込み、筐体１２１内の後方側に配設されているストッパー７７にエアフィルタ本体２４を後方側を当接させる。これにより、エアフィルタ本体２４の下部２４ｂと第２支持部１２３の鍔部２３ｃとが当接した状態でエアフィルタ本体２４が第２支持部１２３に載置される。
【００５９】
続いて、第２支持部１２３の前方側を掴んで後方上がりに傾斜する向きに押し込む。この際に、各係合部４３，４４，４５の各スリット５６，５８，６１、および各ロッド３３，３４，３５によって案内されて、第２支持部１２３およびエアフィルタ本体２４が後方上がりに傾斜する向きに移動する。次いで、移動した第２支持部１２３の前方側を掴んで上方側に向けて押し上げる。この際に、各係合部４３，４５の各スリット５５，６０、および各ロッド３３，３５によって案内されて、第２支持部１２３およびエアフィルタ本体２４の前方側が第２支持部１２３に近接するように回動する。
【００６０】
続いて、回動した第２支持部１２３の前方側を掴んで後方側に向けて押し込む。この際に、各係合部４３，４４，４５の各スリット５４，５７，５９、および各ロッド３３，３４，３５によって案内されて、第２支持部１２３およびエアフィルタ本体２４が後方側に移動する。また、後方側への第２支持部１２３の移動により、各スリット５４，５７，５９および各ロッド３３，３４，３５によって第２支持部１２３の上下方向への移動が規制される。
【００６１】
次いで、上記したエアフィルタ装置３における新たなエアフィルタ本体２４の収容の際の各動作と同様にして、第１支持部２２を前方側に移動させた後に、第１支持部２２の前方側が第２支持部１２３に近接するように第１支持部２２を回動させる。これによって第１支持部２２の鍔部２２ｃとエアフィルタ本体２４とが当接して、第１支持部２２と第２支持部１２３とによってエアフィルタ本体２４が支持（固定）される。また、この状態では、第１支持部２２の鍔部２２ｃに設けられたシール材が鍔部２２ｃとエアフィルタ本体２４の上部２４ａとで挟み込まれると共に、第２支持部１２３の鍔部２３ｃに設けられたシール材が鍔部２３ｃとエアフィルタ本体２４の下部２４ｂとで挟み込まれるため、第１支持部２２および第２支持部１２３とエアフィルタ本体２４との間の気密性が高められている。以上により、筐体１２１への新たなエアフィルタ本体２４の収容が完了する。
【００６２】
このように、このエアフィルタ装置１０３および送風装置１０１では、第１支持部２２の前方側第２支持部１２３に対して接離するように第１支持部２２が後方側を中心として回動可能に支持され、第２支持部１２３の前方側が第１支持部２２に対して接離するように第２支持部１２３が後方側を中心として回動しかつ前方下がりの傾斜状態で移動可能に支持されている。このため、このエアフィルタ装置１０３および送風装置１０１では、第１支持部２２の前方側を掴んで押し上げの動作や押し込みの動作を行い、第２支持部１２３の前方側を掴んで引き出しの動作や押し下げの動作を行うだけで、エアフィルタ本体２４の取り出しが可能な状態とすることができる。また、第２支持部１２３にエアフィルタ本体２４を載置した後に、取り出しの際の各動作とは逆の動作を行うだけで、エアフィルタ本体２４を筐体１２１内に収容して支持させることができる。したがって、このエアフィルタ装置１０３および送風装置１０１によれば、４つのナットを緩める作業および各ナットを締め付ける作業が必要な従来のファンフィルタユニットと比較して、十分に短時間でかつ容易にエアフィルタ本体２４の交換作業を行うことができる。また、このエアフィルタ装置１０３および送風装置１０１によれば、筐体１２１の前方側のみで全ての交換作業を実施することができ、交換作業の際に筐体１２１の後方側に手を入れる必要がないため、筐体１２１と第１支持部２２や第２支持部１２３とによって手が挟まれる事態を確実に回避することができる。したがって、このエアフィルタ装置１０３および送風装置１０１によれば、エアフィルタ本体２４の交換作業を十分に安全かつ効率的に行うことができる。
【００６３】
また、このエアフィルタ装置１０３および送風装置１０１では、第１スリット５１および第２スリット５２で構成された第１係合部４１に係合する第１ロッド３１と、第３スリット５３で構成された第２係合部４２に係合する第２ロッド３２とによって第１支持部２２が支持され、第４スリット５４、第５スリット５５および第６スリット５６で構成された第３係合部４３に係合する第３ロッド３３と、第７スリット５７および第８スリット５８で構成された第４係合部４４に係合する第４ロッド３４とによって第２支持部１２３が支持されている。このため、第１支持部２２および第２支持部１２３を支持する機構を十分簡易に構成することができる。
【００６４】
次に、他の実施例としての送風装置２０１について説明する。なお、以下の説明において、上記した送風装置１，１０１と同じ構成要素には同じ符号を付して重複する説明を省略する。図１５に示す送風装置２０１は、上記した送風装置本体２とエアフィルタ装置２０３を備えて構成され、送風装置１，１０１と同様にして、空気を所定の温度に温度調整すると共に、その空気を浄化して送風可能に構成されている。エアフィルタ装置２０３は、同図に示すように、筐体２２１、第１支持部２２２、第２支持部１２３、エアフィルタ本体２４および接続ダクト２２５を備えて、送風装置本体２から送風される温度調整後の空気を浄化可能に構成されている。なお、図１５では、側面パネル７１ａ，７１ｂを取り外した状態のエアフィルタ装置２０３を図示している。
【００６５】
筐体２２１における側面パネル７１ａ，７１ｂの内側（筐体２２１の側面）には、図１６に示すように、上記したフレーム７６，１７６に代えて、フレーム２７６がそれぞれ取り付けられている。この場合、フレーム２７６における下部の前方側には、第３ロッド３３が取り付けられて、フレーム２７６における下部の後方側には、第４ロッド３４が取り付けられて、フレーム２７６における下部の中央部には、第５ロッド３５が取り付けられている。この場合、フレーム２７６は、後述する第１支持部２２２のガイド板２２２ｄが固定されることによって第１支持部２２２を支持すると共に、上記したエアフィルタ装置１０３と同様にして、第２支持部１２３に設けられている第３係合部４３、第４係合部４４および第５係合部４５に各ロッド３３〜３５がそれぞれ係合することによって第２支持部１２３を支持する。
【００６６】
第１支持部２２２は、図１６に示すように、ベース部２２ａ、鍔部２２ｃ、および２枚のガイド板２２２ｄを備えて構成され、筐体２２１内に配設されて、エアフィルタ本体２４の上部２４ａに鍔部２２ｃが当接して、第２支持部１２３と共にエアフィルタ本体２４を支持（固定）する。
【００６７】
各ガイド板２２２ｄは、図１６に示すように、長尺に形成されて、対向する２つの鍔部２２ｃにそれぞれ取り付けられている。この場合、ガイド板２２２ｄは、筐体２２１からのエアフィルタ本体２４の取り出し、および筐体２１に対するエアフィルタ本体２４の収容の際のガイドとしても機能する。また、上記したエアフィルタ装置３，１０３のガイド板２２ｄとは異なり、ガイド板２２２ｄは、第１係合部４１および第２係合部４２が設けられておらず、筐体２２１のフレーム７６に固定されており、これによって第１支持部２２２がフレーム２７６（筐体２２１）に支持されている。
【００６８】
接続ダクト２２５は、第１支持部２２２におけるベース部２２ａの天面と筐体２２１の天面パネル７４との間に配設されて、ベース部２２ａの天面に形成されている排出口２２ｂと筐体２２１の天面パネル７４に形成されている供給口７５とを繋いでいる。この場合、このエアフィルタ装置２０３では、第１支持部２２２が筐体２２１に固定されている（移動および回動しない）ため、伸縮性を有していない筒体を用いることもできる。
【００６９】
また、このエアフィルタ装置２０３では、第１支持部２２２が筐体２２１に固定されているため、第１支持部２２２の上部に回動および移動のための空間を設ける必要がない結果、その分、エアフィルタ装置２０３を小形化することが可能となっている。また、第１支持部２２２を固定することでエアフィルタ装置２０３を気密性の高い構造とすることが可能となっている。
【００７０】
一方、このエアフィルタ装置２０３のエアフィルタ本体２４を交換するときには、最初に、エアフィルタ装置２０３の筐体２２１に収容されている使用済みのエアフィルタ本体２４を取り出す。この場合、上記したエアフィルタ装置１０３におけるエアフィルタ本体２４の取り出しの際の各動作と同様にして、第２支持部１２３を前方側に向けて引き出し、次いで、第２支持部１２３を下方側に向けて押し下げた後に、前方下がりに傾斜する向きに引き出す。これにより、第２支持部１２３およびエアフィルタ本体２４が前方下がりに傾斜する向きに移動して、エアフィルタ本体２４の取り出しが可能な状態となる。
【００７１】
次いで、使用済みのエアフィルタ本体２４を前方側に引き出すようにして筐体２２１から取り出す。この場合、上記した第２支持部１２３の回動および移動によって第１支持部２２２の前方側と第２支持部１２３の前方側とが離反して前方側が広く開口した状態となっている。このため、エアフィルタ本体２４の引き出しを容易に行うことが可能となっている。
【００７２】
続いて、新たなエアフィルタ本体２４を筐体２２１に収容する。具体的には、第２支持部１２３の前方側にエアフィルタ本体２４の後方側を載置し、次いでガイド板２３ｄに沿わせるようにしてエアフィルタ本体２４を後方側に向けて押し込み、筐体２２１内の後方側に配設されているストッパー７７にエアフィルタ本体２４を後方側を当接させる。これにより、エアフィルタ本体２４の下部２４ｂと第２支持部１２３の鍔部２３ｃとが当接した状態でエアフィルタ本体２４が第２支持部１２３に載置される。
【００７３】
続いて、上記したエアフィルタ装置１０３における新たなエアフィルタ本体２４の収容の際の各動作と同様にして、第２支持部１２３の前方側を掴んで後方上がりに傾斜する向きに押し込み、次いで、第２支持部１２３の前方側を掴んで上方側に向けて押し上げた後に、第２支持部１２３の前方側を掴んで後方側に向けて押し込む。これによって第１支持部２２２の鍔部２２ｃとエアフィルタ本体２４とが当接して、第１支持部２２２と第２支持部１２３とによってエアフィルタ本体２４が支持される。また、この状態では、第１支持部２２２の鍔部２２ｃに設けられたシール材が鍔部２２ｃとエアフィルタ本体２４の上部２４ａとで挟み込まれると共に、第２支持部１２３の鍔部２３ｃに設けられたシール材が鍔部２３ｃとエアフィルタ本体２４の下部２４ｂとで挟み込まれるため、第１支持部２２２および第２支持部１２３とエアフィルタ本体２４との間の気密性が高められている。以上により、筐体１２１への新たなエアフィルタ本体２４の収容が完了する。
【００７４】
このように、このエアフィルタ装置２０３および送風装置２０１では、第２支持部１２３が、第３係合部４３に挿通された第３ロッド３３、および第４係合部４４に挿通された第４ロッド３４によって前方側が第１支持部２２２に対して接離するように回動しかつ前方下がりに傾斜する方向に沿って移動可能に支持されている。このため、このエアフィルタ装置２０３および送風装置２０１では、第２支持部１２３の前方側を掴んで引き出しの動作や押し下げの動作を行うだけで、エアフィルタ本体２４の取り出しが可能な状態とすることができる。また、第２支持部１２３にエアフィルタ本体２４を載置した後に、取り出しの際の各動作とは逆の動作を行うだけで、エアフィルタ本体２４を筐体２２１内に収容して支持させることができる。したがって、このエアフィルタ装置２０３および送風装置２０１によれば、４つのナットを緩める作業および各ナットを締め付ける作業が必要な従来のファンフィルタユニットと比較して、十分に短時間でかつ容易にエアフィルタ本体２４の交換作業を行うことができる。また、このエアフィルタ装置２０３および送風装置２０１によれば、筐体２２１の前方側のみで全ての交換作業を実施することができ、交換作業の際に筐体２２１の後方側に手を入れる必要がないため、筐体２２１と第１支持部２２２や第２支持部１２３とによって手が挟まれる事態を確実に回避することができる。したがって、このエアフィルタ装置２０３および送風装置２０１によれば、エアフィルタ本体２４の交換作業を十分に安全かつ効率的に行うことができる。
【００７５】
なお、エアフィルタ装置３，１０３は、上記の構成例に限定されない。例えば、図１７に示すように、上記した第１支持部２２に代えて、第１支持部３２２を備えたエアフィルタ装置３０３を採用することもできる。この場合、第１支持部２２と同じ構成要素には同じ符号を付して重複する説明を省略する。この第１支持部３２２では、同図に示すように、第１ロッド３１を挿通させて第１ロッド３１と係合する第１係合部３４１が上記した第１係合部４１に代えてガイド板３２２ｄの前方側に設けられている。この場合、第１係合部３４１は、同図に示すように、第１係合部４１を左右反転させた全体としてＬ字状に構成されている。
【００７６】
具体的には、第１係合部３４１は、第１スリット５１と同様の機能を有する第１スリット３５１と、第１スリット３５１に連続するようにして略水平方向に沿って形成されて、上方側に移動した第１支持部３２２の第１ロッド３１に対する前後方向への移動を案内すると共に前後方向の一例としての前方側に移動した第１支持部３２２の第１ロッド３１に対する上下方向への移動を規制する第２スリット３５２とを備えて構成されている。この構成では、使用済みのエアフィルタ本体２４を取り出す際に、第１支持部３２２の前方側を上方側に向けて押し上げた後に前方側に引き出すことにより、第２スリット３５２および第１ロッド３１によって第１支持部３２２の上下方向への移動が規制される。
【００７７】
また、送風装置の一例として、温度調整部１１を備えた送風装置本体２にエアフィルタ装置３を取り付けた送風装置１について説明したが、エアフィルタ装置３を取り付ける対象は上記した送風装置本体２には限定されない。例えば、温度調整部１１を備えていない（送風機能のみを有する）送風装置本体にエアフィルタ装置３を取り付けることもできる。また、送風装置本体に取り付けることなく、エアフィルタ装置３を単独で使用することもできる。
【符号の説明】
【００７８】
１，１０１，２０１  送風装置
２  送風装置本体
３，１０３，２０３，３０３  エアフィルタ装置
２１，１２１，２２１  筐体
２２，１２２，２２２，３２２  第１支持部
２２ｂ  排出口
２３，１２３  第２支持部
２４  エアフィルタ本体
２４ａ  上部
２４ｂ  下部
２５  接続ダクト
３１  第１ロッド
３２  第２ロッド
３３  第３ロッド
３４  第４ロッド
４１，３４１  第１係合部
４２  第２係合部
４３  第３係合部
４４  第４係合部
５１，３５１  第１スリット
５２，３５２  第２スリット
５３  第３スリット
５４  第４スリット
５５  第５スリット
５６  第６スリット
５７  第７スリット
５８  第８スリット
７２  前面パネル
７５  供給口
【図１】
2011099576.tif 000003
【図２】
2011099576.tif 000004
【図３】
2011099576.tif 000005
【図４】
2011099576.tif 000006
【図５】
2011099576.tif 000007
【図６】
2011099576.tif 000008
【図７】
2011099576.tif 000009
【図８】
2011099576.tif 000010
【図９】
2011099576.tif 000011
【図１０】
2011099576.tif 000012
【図１１】
2011099576.tif 000013
【図１２】
2011099576.tif 000014
【図１３】
2011099576.tif 000015
【図１４】
2011099576.tif 000016
【図１５】
2011099576.tif 000017
【図１６】
2011099576.tif 000018
【図１７】
2011099576.tif 000019